(57)【特許請求の範囲】
【請求項１】
複数台の音響・映像機器が制御装置に接続され、該制御装置は、画像表示面と、画像表示面に対する入力操作が可能な入力器とを具え、該入力器の操作に応じて、複数台の音響・映像機器の動作が制御される音響・映像コントロールシステムにおいて、制御装置には、音響・映像機器として、複数の番組を含む放送を受信するための受信装置と、受信された番組を映出するための映出装置と、受信された番組を録画するための録画装置とが接続され、制御装置は、
録画装置に予約録画を実行させるための録画情報を格納するための録画情報格納手段と、
録画情報格納手段に格納されている録画情報に従って、録画装置に予約録画を実行させる録画制御手段と、
画像表示面に、録画装置に録画されている番組を再生する際に操作すべき再生釦を表示する再生釦表示手段と、
画像表示面に表示されている再生釦の操作に応じて、録画装置に再生動作を行なわしめるための再生制御手段と、
異なる内容の予約録画を実行させるための複数の録画情報について、各録画情報のデフォルト値を格納するためのデフォルト値格納手段と、
画像表示面に、デフォルト値格納手段に格納されている複数のデフォルト値から１つのデフォルト値を選択するためのコンテンツ選択釦を表示するコンテンツ選択釦表示手段と、
画像表示面に表示されているコンテンツ選択釦の操作に応じて、選択されたデフォルト値を録画情報格納手段に格納する録画情報選択設定手段
とを具えていることを特徴とする音響・映像コントロールシステム。
【請求項２】
更に、
画像表示面に、前記デフォルト値格納手段に格納されているデフォルト値を書き換えるためのデフォルト値書き換え操作釦を表示するデフォルト値書き換え操作釦表示手段と、
画像表示面に表示されているデフォルト値書き換え操作釦の操作に応じて、デフォルト値格納手段に格納されているデフォルト値を書き換えるデフォルト値書き換え手段
とを具えている請求項１に記載の音響・映像コントロールシステム。
【請求項３】
再生制御手段は、
画像表示面に表示されている再生釦の操作に応じて、録画装置に録画されている複数の番組の中から、再生を開始すべき番組を選択するための番組選択釦を表示する番組選択釦表示手段と、
画像表示面に表示されている番組選択釦の操作に応じて、選択された番組の再生を開始せしめる再生開始制御手段
とを具えている請求項１又は請求項２に記載の音響・映像コントロールシステム。
【請求項４】
録画装置は磁気テープを記録媒体とするビデオカセットレコーダであって、再生開始制御手段は、画像表示面に表示されている番組選択釦の操作に応じて、選択された番組の録画開始位置まで磁気テープを走行させる頭出し制御手段を具えている請求項３に記載の音響・映像コントロールシステム。
【請求項５】
番組選択釦が表示された後に再生釦が操作されたとき、再生制御手段はビデオカセットレコーダの再生動作を停止させて、録画制御手段の予約録画動作を許容する請求項４に記載の音響・映像コントロールシステム。
【請求項６】
ビデオカセットレコーダの再生動作が停止された後、録画制御手段は、磁気テープを未録画領域の先頭位置まで進める請求項５に記載の音響・映像コントロールシステム。
【請求項７】
更に、画像表示面に表示すべき複数の釦表示画面を切り換えるための画面切り換え釦を表示する画面切り換え釦表示手段を具えている請求項１乃至請求項６の何れかに記載の音響・映像コントロールシステム。
【発明の詳細な説明】
【０００１】
【発明の属する技術分野】
本発明は、複数台の音響・映像機器（以下、ＡＶ機器という）が制御装置に接続され、該制御装置に装備された入力器の操作に応じて、複数台のＡＶ機器の動作が制御される音響・映像コントロールシステム（以下、ＡＶコントロールシステムという）に関するものである。
【０００２】
【従来の技術】
従来、図１４に示す様に、ＤＶＤプレーヤ（３１）、ＶＣＲ（３２）、ＬＤプレーヤ（３３）、ＣＤプレーヤ（３４）、ＴＶ受像機（３５）、ＡＶアンプ（３７）等のＡＶ機器群（３０）が、機器制御装置（２０）を介してホストコンピュータ（４０）に接続され、ホストコンピュータ（４０）の入出力装置であるキーボード（４２）及びディスプレイ（４３）を用いて、ＡＶ機器群（３０）を集中的に操作することが可能なＡＶコントロールシステムが提案されている。
該ＡＶコントロールシステムによれば、ディスプレイ（４３）に映し出された機器選択画面上で、動作させんとする所望のＡＶ機器をキーボード（４２）の操作によって選択し、更に、選択された機器についての複数の操作キーが表示された画面上で、必要な操作キーを選択操作することによって、当該ＡＶ機器に所望の動作を行なわしめることが出来る。
【０００３】
【発明が解決しようとする課題】
しかしながら、従来のＡＶコントロールシステムにおいて、例えばＶＣＲを用いて、ＴＶ放送のニュースやドラマなどの特定ジャンルの番組のみを選択して磁気テープに録画せんとする場合、録画に用いる１台のＶＣＲを選択した上で、該ＶＣＲに対して、ユーザ自身が番組録画予約プログラムを組む必要があり、この作業は極めて複雑で、初心者には困難なものであった。又、異なる番組からなる別の録画予約を設定するためには、番組録画予約プログラムを最初から書き直す必要があり、例えば出勤前にその日の録画予約設定を簡単に変更することは出来なかった。更に又、磁気テープとして、未録画のテープ若しくは録画を消去してもよいテープを選んでＶＣＲに装填する必要があり、この作業は煩わしいものであった。
【０００４】
本発明の目的は、ユーザが番組録画予約プログラムを組むことなく、複数の番組を順次録画するための録画予約を容易に設定することが出来ると共に、簡易な操作で、異なる番組からなる別の録画予約を設定することが出来、然も、予約録画を行なう磁気テープなどの記録媒体が未録画若しくは消去可能なものかどうかの判断が不要となるＡＶコントロールシステムを提供することである。
【０００５】
【課題を解決する為の手段】
本発明に係るＡＶコントロールシステムにおいては、複数台のＡＶ機器が制御装置に接続され、該制御装置は、画像表示面と、画像表示面に対する入力操作が可能な入力器とを具え、該入力器の操作に応じて、複数台のＡＶ機器の動作が制御されるＡＶコントロールシステムであって、制御装置には、ＡＶ機器として、複数の番組を含む放送を受信するための受信装置と、受信された番組を映出するための映出装置と、受信された番組を録画するための録画装置とが接続されている。
ここで、制御装置は、
録画装置に予約録画を実行させるための録画情報を格納するための録画情報格納手段と、
録画情報格納手段に格納されている録画情報に従って、録画装置に予約録画を実行させる録画制御手段と、
画像表示面に、録画装置に録画されている番組を再生する際に操作すべき再生釦を表示する再生釦表示手段と、
画像表示面に表示されている再生釦の操作に応じて、録画装置に再生動作を行なわしめるための再生制御手段と、
異なる内容の予約録画を実行させるための複数の録画情報について、各録画情報のデフォルト値を格納するためのデフォルト値格納手段と、
画像表示面に、デフォルト値格納手段に格納されている複数のデフォルト値から１つのデフォルト値を選択するためのコンテンツ選択釦を表示するコンテンツ選択釦表示手段と、
画像表示面に表示されているコンテンツ選択釦の操作に応じて、選択されたデフォルト値を録画情報格納手段に格納する録画情報選択設定手段
とを具えている。
【０００６】
上記本発明のＡＶコントロールシステムにおいては、予め、デフォルト値格納手段に、異なる内容の予約録画を実行させるための複数の録画情報、例えば、その日に放送される複数のニュース番組のみを予約録画するための録画情報と、その日に放送される複数のスポーツ番組のみを予約録画するための録画情報と、その日に放送されるドラマ番組のみを予約録画するため録画情報について、各録画情報のデフォルト値が格納されている。ここで、録画情報は、各番組のチャンネル、録画を開始すべき時刻、録画を終了すべき時刻等を含んでいる。又、録画情報のデフォルト値は、出荷時にはメーカ設定値となっているが、後述の如くユーザが必要に応じて変更することも可能である。
【０００７】
録画予約設定時には、先ず画像表示面に、複数のコンテンツ釦、例えば、“ニュース”、“スポーツ”、“ドラマ”が釦表示される。そこで、この中から任意の１つの釦を選択すると、選択された釦に対応した録画情報のデフォルト値（例えばその日に放送される複数のニュース番組のチャンネル、録画開始時刻、録画終了時刻など）が読み出され、録画情報選択設定手段によって該デフォルト値が録画情報格納手段に格納される。
【０００８】
この状態で、録画制御手段は、録画情報格納手段に格納されている録画情報に従って、録画装置に予約録画を実行させる。この結果、録画装置の記録媒体には、選択されたコンテンツ釦に対応した複数の番組が順次、記録されることになる。
全ての番組の録画が終了した後、入力器によって、画像表示面に表示された再生釦を操作すると、再生制御手段が、録画装置に再生動作を行なわしめる。これによって、録画された番組が順次、再生されることになる。
【０００９】
具体的構成において、本発明に係るＡＶコントロールシステムは、更に、
画像表示面面に、前記デフォルト値格納手段に格納されているデフォルト値を書き換えるためのデフォルト値書き換え操作釦を表示するデフォルト値書き換え操作釦表示手段と、
画像表示面に表示されているデフォルト値書き換え操作釦の操作に応じて、デフォルト値格納手段に格納されているデフォルト値を書き換えるデフォルト値書き換え手段
とを具えている。
【００１０】
該具体的構成によれば、画像表示面に表示されているデフォルト値書き換え操作釦を操作することによって、デフォルト値をユーザ好みのデフォルト値に書き換えることが出来る。ここで、デフォルト値書き換え操作釦は、例えばテンキー等によって構成することが出来、簡易な操作でデフォルト値を書き換えることが出来る。
【００１１】
更に具体的構成において、再生制御手段は、
画像表示面に表示されている再生釦の操作に応じて、録画装置に録画されている複数の番組の中から、再生を開始すべき番組を選択するための番組選択釦を表示する番組選択釦表示手段と、
画像表示面に表示されている番組選択釦の操作に応じて、選択された番組の再生を開始せしめる再生開始制御手段
とを具えている。
【００１２】
該具体的構成によれば、再生釦を操作することによって、画像表示面には、録画装置に録画されている複数の番組を表わす複数の番組選択釦が表示され、この中から、再生せんとする所望の番組を選択すると、該番組から再生が開始される。
【００１３】
又、具体的には、録画装置は磁気テープを記録媒体とするビデオカセットレコーダ（ＶＣＲ）であって、再生開始制御手段は、画像表示面に表示されている番組選択釦の操作に応じて、選択された番組の録画開始位置まで磁気テープを走行させる頭出し制御手段を具えている。
該具体的構成においては、選択された番組の録画開始位置に磁気テープが頭出しされた後、再生動作が開始される。
【００１４】
該具体的構成において、番組選択釦が表示された後に再生釦が操作されたときは、再生制御手段はＶＣＲの再生動作を中止して、録画制御手段の予約録画動作を許容する。そして、ＶＣＲの再生動作が停止された後、録画制御手段は、磁気テープを未録画領域の先頭位置まで進める。
この結果、磁気テープの未記録領域の先頭から、予約録画が再開されることになる。
これに対し、番組選択釦が表示された後に再生釦が操作されなかったときは、ＶＣＲの再生動作が維持され、その後に録画予約時刻が到来したとしても、該録画予約はキャンセルされる。
【００１５】
尚、上述の画像表示面に表示すべき複数の釦表示画面は、画像表示面に表示された画面切り換え釦の操作によって切り換えることが出来る。
【００１６】
【発明の効果】
本発明に係るＡＶコントロールシステムによれば、例えば、ＴＶ放送のニュースやドラマなどの特定ジャンルの番組のみを選択して磁気テープに録画せんとする場合、１つのコンテンツ選択釦を操作するだけで、ニュース、ドラマ、スポーツなどの複数のコンテンツの中の所望のコンテンツを構成すべき複数の番組について、自動的に録画予約が設定される。従って、ユーザは、従来の如く番組録画予約プログラムを組む必要はなく、初心者にも操作が容易である。又、例えば出勤前にその日の録画予約設定を変更するときも、変更せんとする目的のコンテンツを表わすコンテンツ選択釦を操作するだけでよく、番組録画予約プログラムを最初から書き直す必要はない。然も、録画装置として、予約録画専用のＶＣＲを接続して、該ＶＣＲに専用の磁気テープを装填しておけば、従来のように未録画若しくは消去可能なテープであるかどうかの煩わしい判断は不要となる。
【００１７】
【発明の実施の形態】
以下、本発明の実施の形態につき、図面に沿って具体的に説明する。
本発明に係るＡＶコントロールシステムは、図１に示す様に、マイクロコンピュータなどからなるコントローラ（１）に、入力操作装置として、液晶ディスプレイなどの画像表示面を覆ってタッチパネルを配備してなるタッチパネル入力器（２）が接続されると共に、ＡＶ機器として、予約録画専用のシステムＶＣＲ（３）、ユーザが自由に使用することが出来るＶＣＲ（４）、ＤＶＤ（５）、ＴＶ受信機（６）、液晶プロジェクター（７）等が接続されている。
尚、コントローラ（１）は、図１４に示す従来のＡＶコントロールシステムを構成している機器制御装置（２０）とホストコンピュータ（４０）の機能を併せ持つと共に、後述するコンテンツ自動録画予約機能を有するのである。又、タッチパネル入力器（２）は、マイクロコンピュータを具えて、画像表示面に対する映像表示制御や、コントローラ（１）との通信処理を実行する。
【００１８】
本発明に係るＡＶコントロールシステムにおいて、タッチパネル入力器（２）の画面には、図２〜図７に示す釦表示画面が映出される。
図２は、システム電源を投入することによって映出されるトップ画面を示しており、該画面には、“ＶＣＲ−１”、“ＶＣＲ−２”、“ＴＶ”、“Ｍｕｓｉｃ”、“Ｓｐｏｒｔｓ”等の複数のコンテンツ選択釦が表示されている。この中で“Ｓｐｏｒｔｓ”と表示されているコンテンツ選択釦が、本発明に係るコンテンツ自動録画予約に関する操作釦である。
【００１９】
又、トップ画面の右上には、図４〜図６に示す複数の釦表示画面を切り換え表示させる際に操作すべき“ＣＯＮＦＩＧ”釦が表示されている。
トップ画面から“ＣＯＮＦＩＧ”釦を操作すると、図３に示すＣＯＮＦＩＧ画面が表示される。ＣＯＮＦＩＧ画面には、図４に示すコンテンツ配置画面を表示するための操作釦“コンテンツ配置画面”、図５に示すコンテンツ予約選択画面を表示するための操作釦“コンテンツ画面”、図６に示すコンテンツ予約内容変更画面を表示するための操作釦“コンテンツ割当画面”等が表示されている。
【００２０】
本発明に係るコンテンツ自動録画予約を設定するためには、その準備として、図４に示すコンテンツ配置画面を表示し、図示の如く変更コンテンツとして表示されている複数のコンテンツから、自動録画予約の対象とするコンテンツ、即ち、“Ｎｅｗｓ”、“Ｓｐｏｒｔｓ”及び“ｄｒａｍａ”の中から例えば“Ｓｐｏｒｔｓ”を選択する。これによって初めて、トップ画面に表示すべき１つのコンテンツ選択釦として、自動録画予約のためのコンテンツ（図示する例では“Ｓｐｏｒｔｓ”）が設定される。
【００２１】
その後、図５に示すコンテンツ予約選択画面を表示し、“Ｎｅｗｓ”、“Ｓｐｏｒｔｓ”及び“ｄｒａｍａ”の中から、自動録画せんとする１つのコンテンツを選択する。これによって、トップ画面に表示されるべき自動録画予約に関するコンテンツ選択釦が入れ替わることになる。例えば図５に示す例において、“Ｎｅｗｓ”を操作すると、トップ画面のコンテンツ選択釦“Ｓｐｏｒｔｓ”が“Ｎｅｗｓ”と入れ替わり、図２のトップ画面には“Ｎｅｗｓ”が表示される。
【００２２】
従って、ユーザは、朝の出勤前に、その日に放送される複数の番組のジャンルの内、ニュース、スポーツ及びドラマの内、何れのジャンルに属する番組を自動予約録画するかによって、図５のコンテンツ予約選択画面から１つのコンテンツを選択する。
この結果、選択されたジャンルに属する複数の番組が自動録画予約されることになる。
【００２３】
ある１つのジャンルに属する複数の番組を予約録画するための録画情報としては、各番組のチャンネル、番組放送開始時刻、番組放送終了時刻等が必要となるが、これらの録画情報は、コンテンツ毎のデフォルト値として、予めコントローラ（１）に格納されている。
上記例では、複数のニュース番組について、各番組のチャンネル、放送開始時刻、放送終了時刻がテーブル化されて、図１中に示す第１デフォルトテーブルに格納されている。複数のスポーツ番組についても、各番組のチャンネル、放送開始時刻、放送終了時刻がテーブル化されて、図１中に示す第２デフォルトテーブルに格納されている。又、複数のドラマ番組についても、各番組のチャンネル、放送開始時刻、放送終了時刻がテーブル化されて、図１中に示す第３デフォルトテーブルに格納されている。
【００２４】
上述の如く、図５のコンテンツ予約選択画面から１つのコンテンツを選択すると、選択されたコンテンツ（ジャンル）についてのデフォルトテーブルが、図１中に示す録画情報テーブルに書き込まれ、録画予約が設定される。
そこで、コントローラ（１）は、録画情報テーブルに書き込まれている録画情報（複数の番組について、各番組のチャンネル、放送開始時刻、放送終了時刻）に基づいて、システムＶＣＲ（３）に対して、録画動作を指令するのである。
【００２５】
コントローラ（１）に設定されている録画情報のデフォルト値は、ユーザが変更可能であって、図３に示すＣＯＮＦＩＧ画面から“コンテンツ割当”釦を操作して、図６に示すコンテンツ予約内容変更画面を表示し、該画面中のテンキーなどを操作することによって、番組毎に、チャンネル番号、開始時刻及び終了時刻を入力する。この際、開始時刻及び終了時刻としては、任意の時刻を入力することが可能であって、例えばドラマ番組について、開始時刻として、各番組の放送終了５分前の時刻、終了時刻として、各番組の放送終了時刻を入力すれば、次回の放送内容の予告編のみを録画することが出来、これによって、１日のドラマ番組のダイジェスト版を作成することが出来る。
【００２６】
この様にしてシステムＶＣＲ（３）に複数の番組が録画された後、ユーザは、例えば夜に帰宅した後、図２のトップ画面から、自動録画予約に関するコンテンツ選択釦（再生釦）、図示する例では“Ｓｐｏｒｔｓ”を操作する。
これによって、タッチパネル入力器（２）には、図７に示すコンテンツ再生画面が表示される。該コンテンツ再生画面は、録画されている複数の番組のチャンネル、録画開始時刻及び録画終了時刻を時間順に配置した録画タイムテーブルを、トップ画面上にサブメニューとして表示したものであって、録画タイムテーブルから１つの番組を選択すると、コントローラ（１）からシステムＶＣＲ（３）へ指令が発せられて、選択された番組の記録位置まで磁気テープが送られた後、再生動作が開始される。
従って、ユーザは、複数の番組から所望の番組を選択して視聴することが出来る。
【００２７】
尚、最後の番組の録画が未だ始まっていない時点でシステムＶＣＲ（３）の再生を開始した場合において、再生中に最後の番組の録画開始時刻が到来したときは、その旨を報知するメッセージを表示し、これに応じてトップ画面の自動録画予約に関するコンテンツ選択釦を操作すると、強制的に再生を中断して、録画予約設定を有効化する。これによって、予約録画が続行されることになる。
これに対し、前記メッセージに拘わらず、トップ画面の自動録画予約に関するコンテンツ選択釦を操作しないときは、再生動作を続行し、録画予約設定はキャンセルする。
【００２８】
図８及び図９は、コントローラ（１）の自動予約録画モードの動作を表わしている。
図１に示すＡＶコントロールシステムのコントローラ（１）に電源が投入されると、先ず、図８のステップＳ１にて、システムＶＣＲ（３）を長時間録画モードに設定する等の初期化、システムＶＣＲ（３）の電源オン、及びシステムＶＣＲ（３）の巻き戻し動作（ＲＥＷ）が実行され、その後、ステップＳ２の巻き戻しが完了したかどうかの判断を経て、ステップＳ３にて、システムＶＣＲ（３）の電源がオフとされる。
【００２９】
その後、ステップＳ４にて、午後１２時を経過したかどうかを判断し、イエスのときはステップＳ１に戻る。午後１２時を経過していないときは、ステップＳ５に移行して、録画情報テーブルを検索し、何れかの番組の録画開始時刻となったかどうかを判断し、ノーの場合はステップＳ４に戻る。何れかの番組の録画開始時刻となったときは、ステップＳ６にてシステムＶＣＲ（３）の状態をチェックし、ステップＳ７にて録画を開始してもよいかどうかの判断を行なう。具体的には、録画情報の編集中であることを表わす録画禁止フラグが立っているかどうか、システムＶＣＲ（３）の再生中であることを表わす録画中止フラグが立っているかどうかが判断される。何れかのフラグが立っているときは、ステップＳ４に戻る。何れのフラグも立っていないときは、録画ＯＫと判断して、図９のステップＳ８に移行する。
【００３０】
ステップＳ８ではシステムＶＣＲ（３）の電源をオンとした後、ステップＳ９にて、システムＶＣＲ（３）の磁気テープを未録画領域の先頭位置まで進めて、頭出しを行なうと共に、録画情報テーブルからチャンネルコードを算出して、システムＶＣＲ（３）のチャンネルをセットする。尚、頭出しは、後述するＶＩＳＳ信号の検出に基づいて行なうことが出来る。
次にステップＳ１０にて、システムＶＣＲ（３）を録画モード（ＲＥＣ）に設定する。これによって、システムＶＣＲ（３）は録画動作を開始する。尚、磁気テープの録画開始位置には、頭出しのためのＶＩＳＳ信号が記録される。そして、ステップＳ１１にて録画終了時刻を検出した後、ステップＳ１２にてシステムＶＣＲ（３）を停止させ、その後、数秒間だけ録画モードを設定する。これによって、磁気テープの最後に録画された番組の終了位置、即ち、録画未録画領域の先頭位置にＶＩＳＳ信号が記録されることなる。
その後、ステップＳ１３にてシステムＶＣＲ（３）の電源をオフとし、図８のステップＳ４に戻る。
【００３１】
上記録画手続きによれば、図５に示すコンテンツ予約選択画面から所望の１つのコンテンツを選択する操作を行なうだけで、システムＶＣＲ（３）の磁気テープには、録画情報テーブルに録画予約設定されている複数の番組が、録画予約情報に従って、順次録画されることになる。
【００３２】
図１０及び図１１は、コントローラ（１）の再生モードの動作を表わしている。先ずステップＳ２１にて、図２に示すタッチパネル入力器（２）のトップ画面から自動録画予約に関するコンテンツ選択釦が操作されると、ステップＳ２２では、図７に示すコンテンツ再生画面を表示する。続いて、ステップＳ２３では、コンテンツ再生画面の自動録画予約に関するコンテンツ選択釦が操作されたかどうかを判断し、イエスと判断されたときは、ステップＳ２４に移行して、システムＶＣＲ（３）を停止させる。
これによって、再生動作は中止され、自動予約録画動作が有効化される。
【００３３】
一方、ステップＳ２３にてノーと判断されたときは、ステップＳ２５に移行して、タッチパネル入力器（２）にサブメニューとして表示されている録画タイムテーブルから１つの番組が選択され、ステップＳ２６では、録画タイムテーブルの操作によって入力された釦コードが、録画済みの番組を表わしているかどうかを判断する。ここで、ノーと判断されたときはステップＳ２３に戻り、イエスと判断されたときは、ステップＳ２７にて更に録画タイムテーブルの操作は最初かどうかを判断する。ここで、イエスと判断されたときは、ステップＳ２８に移行する。
【００３４】
ステップＳ２８では、現在、予約録画中であるか否かを判断し、ノーの場合はシステムＶＣＲ（３）の電源をオンとした後、イエスの場合はシステムＶＣＲ（３）を停止させた後、ステップＳ３１にて、録画中止フラグをセットすると共に、頭出し前のテープ位置を表わす変数である“前テーブルボタン番号”を“１”（テープ先頭位置）にセットする。
その後、ステップＳ３２にてシステムＶＣＲ（３）を巻き戻しモード（ＲＥＷ）に設定し、ステップＳ３３てに磁気テープが先頭まで巻き戻されたかどうかのチェックを経て、図１１のステップＳ３５へ進む。
一方、上記ステップＳ２７にて、録画タイムテーブルの操作が２回目以降のものであれば、図１１のステップＳ３４へ移行して、システムＶＣＲ（３）を停止させた後、ステップＳ３５へ移行する。
【００３５】
そして、ステップＳ３５では、頭出しせんとする目的のテープ位置を表わす変数である“新テーブルボタン番号”と前記“前テーブルボタン番号”との差を、“オフセット値”としてセットし、該オフセット値を“頭出し値”にセットする。
次に、ステップＳ３６にて、頭出し値が１以上かどうかを判断し、１以上の場合は、ステップＳ３７にて、システムＶＣＲ（３）に対し、頭出しコード、頭出し値及び早送り（ＦＦ）若しくは巻き戻し（ＲＥＷ）指令を送信する。その後、システムＶＣＲ（３）との間で問い合わせによる応答チェックを行ない、頭出し動作が完了したことを確認した後、手続きを終了する。この結果、システムＶＣＲ（３）がプレイモードに設定されて、頭出し位置から再生が開始されることになる。
一方、ステップＳ３６にて頭出し値が０であると判断されたときは、既に頭出し状態にあるので、ステップＳ３９に移行して、システムＶＣＲ（３）へＰＬＡＹコマンドを送信した後、手続きを終了する。この結果、システムＶＣＲ（３）がプレイモードに設定されて、その位置から再生が開始されることになる。
【００３６】
上記再生手続よれば、図７に示すコンテンツ再生画面に表示されている録画タイムテーブルから所望の１つの番組を操作するだけで、該番組から自動的に再生が開始されることになる。
但し、録画予約されている全ての番組の録画が終了する前に、システムＶＣＲ（３）の再生を開始した場合、その後の録画予約はキャンセルされることになる。
【００３７】
図１２及び図１３は、録画手続及び再生手続についての他の実施例を表わしている。図１２の手続は、録画手続において図９のステップＳ１２に代えてステップＳ１２′を実行する点を除き、図９の手続と同様であって、ステップＳ１２′では、図９のステップＳ１２と同様にシステムＶＣＲ（３）を停止させた後、数秒間だけ録画動作を実行させると共に、テープ先頭に録画されている番組を初期値“１”として、その後に順次録画されている番組の内、最後の番組の番号（ＲＥＣ位置）を記憶しておく。
【００３８】
図１３の手続は、再生手続において図１０のステップＳ２４に引き続いて実行されるものであって、ステップＳ４１にて、“前テーブルボタン番号”と“ＲＥＣ位置”の差をオフセット値として、該オフセット値を頭出し値としてセットする。
その後、ステップＳ４２にて、頭出し値が１以上かどうかを判断し、１以上の場合は、ステップＳ４３にて、システムＶＣＲ（３）に対し、頭出しコード、頭出し値及び早送り（ＦＦ）若しくは巻き戻し（ＲＥＷ）指令を送信する。その後、システムＶＣＲ（３）との間で問い合わせによる応答チェックを行ない、頭出し動作が完了したことを確認した後、システムＶＣＲ（３）を停止させる。一方、ステップＳ４２にて０と判断されたときは、ステップＳ４５に移行して、システムＶＣＲ（３）を停止させる。
この結果、システムＶＣＲ（３）の磁気テープは、未記録領域の先頭位置に頭出しされて、自動予約録画に待機することになる。
【００３９】
従って、図１２及び図１３に示す手続を採用した実施例においては、図７に示すコンテンツ再生画面から所望の番組を選択した後、再生を中断すべくトップ画面のコンテンツ再生釦を操作すると、システムＶＣＲ（３）は、磁気テープを未記録領域の先頭位置に頭出しするので、その後の自動予約録画は、磁気テープの未記録領域から再開されることになる。
【００４０】
上記本発明に係るＡＶコントロールシステムによれば、ユーザは、朝の出勤前に、その日に放送される複数の番組のジャンルの内、ニュース、スポーツ及びドラマの内、何れのジャンルに属する番組を自動予約録画するかによって、図５のコンテンツ予約選択画面から１つのコンテンツを選択するだけで、特別な番組録画予約プログラムを組むことなく、容易に、所望のジャンルに属する複数の番組を自動的に予約録画することが出来る。
又、ユーザは、夜に帰宅した後、図２のトップ画面から、自動録画予約に関するコンテンツ選択釦を操作し、更に、図７に示すコンテンツ再生画面の録画タイムテーブルから１つの番組を選択するだけで、所望の番組を再生することが出来る。
【００４１】
又、本発明に係るＡＶコントロールシステムにおいては、システムＶＣＲ（３）を自動予約録画専用のＶＣＲとして用いているので、予約録画を行なう磁気テープが未録画若しくは消去可能なものかどうかの判断は不要である。
尚、システムＶＣＲ（３）に装填されている磁気テープは繰り返し使用されるので、使用回数をカウントして、該カウント値が所定の限界値を越えたとき、テープ交換メッセージを表示すれば、磁気テープの管理が可能となる。
【図面の簡単な説明】
【図１】本発明に係るＡＶコントロールシステムの構成を示すブロック図である。
【図２】タッチパネル入力器に表示されるトップ画面を表わす図である。
【図３】ＣＯＮＦＩＧ画面を表わす図である。
【図４】コンテンツ配置画面を表わす図である。
【図５】コンテンツ予約選択画面を表わす図である。
【図６】コンテンツ予約内容変更画面を表わす図である。
【図７】コンテンツ再生画面を表わす図である。
【図８】録画モードの動作の前半を表わすフローチャートである。
【図９】同上の後半を表わすフローチャートである。
【図１０】再生モードの動作の前半を表わすフローチャートである。
【図１１】同上の後半を表わすフローチャートである。
【図１２】再生モードの他の動作例の要部を表わすフローチャートである。
【図１３】録画モードの他の動作例の要部を表わすフローチャートである。
【図１４】従来のＡＶコントロールシステムの構成を表わすブロック図である。
【符号の説明】
（１）  コントローラ
（２）  タッチパネル入力器
（３）  システムＶＣＲ
（４）  ユーザＶＣＲ
（５）  ＤＶＤ
（６）  ＴＶ受信機
（７）  液晶プロジェクター
【図１】
0003548029.tif 000002
【図２】
0003548029.tif 000003
【図３】
0003548029.tif 000004
【図４】
0003548029.tif 000005
【図５】
0003548029.tif 000006
【図６】
0003548029.tif 000007
【図７】
0003548029.tif 000008
【図８】
0003548029.tif 000009
【図９】
0003548029.tif 000010
【図１０】
0003548029.tif 000011
【図１１】
0003548029.tif 000012
【図１２】
0003548029.tif 000013
【図１３】
0003548029.tif 000014
【図１４】
0003548029.tif 000015